(57)【要約】【課題】この発明は、構成簡易にして、安定した肘当て機能を実現すると共に、多様な使用状況に応じ得るようにすることにある。【解決手段】把持部１３に穂先方向に延出した延出部１４が設けられたグリップ本体１０を軟質性材料で形成して、このグリップ本体１０の把持部１３を元竿管１１の後端部に被着し、このグリップ本体１０の延出部１４及び把持部１３上に、グリップ本体１０の一部が面一又は突出される複数の窓１６３が設けられた硬質材料で形成される外被部材１６を被着して構成したものである。【選択図】      図１
2005160319.tif 000002
【特許請求の範囲】
【請求項１】
釣竿の元竿管後端部に被着されるものであって、柔軟性材料で形成され、前記元竿管後端部に被着される把持部に穂先方向に延出した延出部が設けられたグリップ本体と、
このグリップ本体の延出部と把持部上に被着されて配され、前記グリップ本体の一部が面一又は突出される複数の窓が設けられた硬質材料で形成される外被部材と、
を具備することを特徴とする釣竿用グリップ。
【請求項２】
前記外被部材は、前記グリップ本体の延出部より穂先方向に延出して配されることを特徴とする請求項１記載の釣竿用グリップ。
【請求項３】
前記外被部材は、前記窓部の設けられた部位の曲率半径が、他の部位に比して大きく設定されることを特徴とする請求項１又は２記載の釣竿用グリップ。
【請求項４】
前記グリップ本体は、前記把持部と前記延出部との連接部位に、釣竿面方向に傾斜した傾斜面が設けられることを特徴とする請求項１乃至３のいずれか記載の釣竿用グリップ。
【請求項５】
前記外被部材は、前記釣竿の元竿管後端方向の端部が前記窓形成部位方向に迫り上がり傾斜されることを特徴とする請求項１乃至３のいずれか記載の釣竿用グリップ。
【請求項６】
前記グリップ本体の把持部には、滑り止め部が設けられることを特徴とする請求項１乃至５のいずれか記載の釣竿用グリップ。
【発明の詳細な説明】
【技術分野】
【０００１】
この発明は、例えば海釣り等の釣り全般に用いる魚釣用釣竿に係り、特にその釣竿用グリップに関する。
【背景技術】
【０００２】
一般に、魚釣用釣竿には、元竿管にリールシートと称するリール取付け部及び握り専用のゴム製等の竿尻握部を配して、その使用状況に応じてリール取付け部に設けられた前側握部あるいは後側握部を把持したり、あるいは竿尻握部を把持して各種の釣り形態が実現される（例えば、特許文献１参照。）。このような魚釣用釣竿においては、そのリール取付け部の前側握部や後側握部を把持する使用状況で、その竿尻握部が、釣り人の肘部が載置される所謂、肘当てとして機能されたり、グリップとして機能される。
【特許文献１】実用新案登録第２５５０７３４号公報
【発明の開示】
【発明が解決しようとする課題】
【０００３】
しかしながら、上記特許文献１の魚釣用釣竿では、その竿尻握部の構造上、釣り人が肘部を載置する使用状況にあっては、釣り人の肘部の一部が当接されるだけであるために、肘当て機能として満足の行くものでないうえ、把持しない状況にあっては、釣り人の衣服に当接して、竿操作に制約を及ぼす虞を有する。
【０００４】
この発明は上記の事情に鑑みてなされたもので、構成簡易にして、安定した肘当て機能を実現し得、且つ、多様な使用状況に応じ得るようにした釣竿用グリップを提供することを目的とする。
【課題を解決するための手段】
【０００５】
この発明は、釣竿の元竿管後端部に被着されるものであって、柔軟性材料で形成され、前記元竿管後端部に被着される把持部に穂先方向に延出した延出部が設けられたグリップ本体と、このグリップ本体の延出部と把持部上に被着されて配され、前記グリップ本体の一部が面一又は突出される複数の窓が設けられた硬質材料で形成される外被部材とを備えて釣竿用グリップを構成した。
【０００６】
上記構成によれば、グリップ本体の延出部及び把持部上に被着された硬質材料製の外被部材は、肘当てとして機能し、その複数の窓に面一又は突出された軟質材料製のグリップ本体の一部の作用により、載置された肘部の滑りを防止する。そして、その把持使用時には、そのグリップ本体の把持部が把持されて、手に馴染んだ把持が可能となる。また、これによれば、グリップ本体の露出が、把持に適しただけの最小限に設定することが可能となることにより、把持及び肘当てとして機能されない場合には、邪魔になることがなくなる。
【発明の効果】
【０００７】
この発明によれば、構成簡易にして、安定した肘当て機能を実現し得、且つ、多様な使用状況に応じ得るようにした釣竿用グリップを提供することができる。
【発明を実施するための最良の形態】
【０００８】
以下、この発明の実施の形態について、図面を参照して詳細に説明する。
【０００９】
図１乃至図３は、この発明の一実施の形態に係る釣竿用グリップの構成を示すもので、図１は、上部側から見た状態を示し、図２は、側部側から見た状態を示し、図３は、下部側より見た状態を示す。
【００１０】
すなわち、グリップ本体１０は、エストラマー、ゴム、コルク、ウレタン、発泡剤等の軟質材料で形成され、例えば小径竿管を順に大径の竿管内に収容する例えば振出式の釣竿を構成する元竿管１１の竿尻側（後端側）に、例えば図示しないリールシートに対応して取付け配置される。そして、この元竿管１１の後端には、ローレット１２１の設けられた尻栓本体１２が着脱自在に取付けられる。この尻栓本体１２には、例えばゴム等の弾性材料製の尻栓１２２が回転自在状に取付けられる。
【００１１】
元竿管１１を含む釣竿は、炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空竿管から形成してある。なお、釣竿構造としては、上記振出式の他にも、並継ぎ式あるいは印籠継ぎ式等の他の適宜の継合形式を採用することもできる。
【００１２】
上記グリップ本体１０は、図４に示すように略筒状の把持部１３に対して、両側部が穂先方向に、例えば湾曲状に延出される延出部１４が一体形成される。そして、この延出部１４及び把持部１３の一部には、その竿軸に対して直交する方向の曲率半径（アール（Ｒ１））が、グリップ本体の把持部の曲率半径（アール（Ｒ２））に比して径大に形成された段部１５が設けられる（図４（ｃ）（ｅ）参照）。そして、この段部１５には、例えば元竿管１１の後端側から穂先方向に順に径大に形成した、略楕円形状の滑り止めとずれ防止機能を奏する複数の凸部１５１が所定の間隔を有して略直線状に設けられる。
【００１３】
また、上記グリップ本体１０の把持部１３には、延出部１４を挟んだ両側部に、それぞれ滑り止め部１３１が設けられると共に、該延出部１４の両側部の縁部に元竿管面方向に傾斜された指案内部１４１が設けらる。
【００１４】
上記グリップ本体１０の段部１５には、例えば金属材料、硬質樹脂材料等の硬質材料製の外被部材１６が被着される。この外被部材１６は、図５に示すようにその穂先側に上記グリップ本体１０の延出部１４より穂先方向に突出して元竿管１１上に配される突出部１６１が延設される。この突出部１６１は、グリップ本体１０の延出部１４の先端部を覆い剥がれを防止すると共に、グリップ本体１０の把持部１３を、例えば釣り人が把持した状態で、親指が載置されて安定した把持を実現する。
【００１５】
上記外被部材１６は、少なくともグリップ本体１０の段部１５に対向される部位の曲率半径（アール（Ｒ１））が、グリップ本体１０の把持部１３の曲率半径（アール（Ｒ２））に比して径大な載置部１６２に設けられ（図５（ｄ）（ｆ）参照）、この載置部１６２には、複数の窓１６３が、上記グリップ本体１０の段部１５の複数の凸部１５１に対応して直線状に所定の間隔を有して設けられる。
【００１６】
また、外被部材１６には、その突出部１６１を含む背面（下面）の周縁に位置決め部１６４が設けられる（図５（ｇ）参照）。これにより、外被部材１６は、その載置部１６２の背面側がグリップ本体１０の段部１５に収容されると、その複数の窓１６３に対してグリップ本体１０の複数の凸部１５１が収容されて、相互間が位置合わせされると共に、位置規制された状態で組付けられる。この状態で、外被部材１６は、図示しない接着材を用いてグリップ本体１０の段部１５に接着されると、その背面側周縁の位置決め部１６４の作用により、上面側外壁が、グリップ本体１０の外壁面と略面一に組付けられた状態で、その突出部１６１に背面側が元竿管１１の外壁面に対設されて配置される。
【００１７】
なお、上記グリップ本体１０の凸部１５１は、外被部材１６の窓１６３より突出させて配するように構成した場合で説明したが、これに限ることなく、例えば外被部材１６の窓１６３に対して略面一に収容配置するようにしても、滑り止め機能及び、外被部材１６のずれ防止機能を得ることが可能である。
【００１８】
上記構成により、グリップ本体１０は、例えばその把持部１３が釣り人の小指、薬指、中指で握られると、該釣り人の人差し指、親指が延出部１４の指案内部１４１に案内されて外被部材１６の突出部１６１の所望の位置に導かれて最適な把持形態で把持される。ここで、グリップ本体１０の把持部１３の滑り止め部１３１の作用により、その確実な把持が行われる。
【００１９】
また、例えば元竿管１１に配される上記リールシート（図示せず）のグリップを把持して、肘当てとして機能させる場合には、上記グリップ本体１０は、その外被部材１６の載置部１６２に釣り人の肘部が載置される。ここで、釣り人の肘部は、外被部材１６の曲率半径を大きくした載置部１６２により、十分な当接面積が得られると共に、その窓１６３より突出されるグリップ本体１０の凸部１５１により、その滑りが防止されて安定した肘当て状態が確保される
このように、釣竿用グリップは、把持部１３に穂先方向に延出した延出部１４が設けられたグリップ本体１０を軟質性材料で形成して、このグリップ本体１０の把持部１３を元竿管１１の後端部に被着し、このグリップ本体１０の延出部１４及び把持部１３上に、グリップ本体１０の一部が面一又は突出される複数の窓１６３が設けられた硬質材料で形成される外被部材１６を被着して構成した。
【００２０】
これによれば、グリップ本体１０の延出部１４及び把持部１３上に被着された硬質材料製の外被部材１６は、肘当てとして機能し、その複数の窓１６３に面一又は突出された軟質材料製のグリップ本体１０の一部の作用により、載置された釣り人の肘部の滑りを防止する。そして、その把持使用時には、そのグリップ本体１０の把持部１３が把持されて、手に馴染んだ把持が可能となる。
【００２１】
また、これによれば、軟質性材料製のグリップ本体１０の露出が、把持に適しただけの最小限に設定することが可能となることにより、把持及び肘当てとして機能されない場合には、邪魔になることがなくなり、その取扱い性の向上が図れる。
【００２２】
また、この発明は、上記実施の形態で説明した肘部の滑り防止及びずれ防止構造に限ることなく、図６乃至図１３に示すように構成して、略同様の効果が期待される。但し、この図７乃至図１５においては、上記図１乃至図５と同一部分について同一符号を付して、その詳細な説明を省略する。
【００２３】
先ず、図６の肘部の滑り及びずれ防止構造は、グリップ本体１０の段部１５に、例えば元竿管１１の後端部側から穂先方向に順に径大に形成した、略円形状の滑り止めとずれ防止機能を奏する複数の凸部２０１を所定の間隔を有して略直線状に設ける。一方、外被部材１６には、その載置部１６２に略円形状をした複数の窓２０２を、上記グリップ本体１０の複数の凸部２０１に対応して設け、この複数の窓２０２にグリップ本体１０の凸部２０１を挿入するように構成したものである。
【００２４】
図７の肘部の滑り及びずれ防止構造は、グリップ本体１０の段部１５に、例えば元竿管１１の後端部側から穂先方向に順に径大に形成した、略矩形状の滑り止めとずれ防止機能を奏する複数の凸部２１１を所定の間隔を有して略直線状に設ける。一方、外被部材１６には、その載置部１６２に略円形状をした複数の窓２１２を、上記グリップ本体１０の複数の凸部２１１に対応して設けて、この複数の窓２１２にグリップ本体１０の凸部２１１を挿入するように構成したものである。
【００２５】
図８の肘部の滑り及びずれ防止構造は、グリップ本体１０の段部１５に、例えば元竿管１１の後端部側から穂先方向に順に径大に形成した、略円形状の滑り止めとずれ防止機能を奏する複数の凸部２２１を所定の間隔を有して略直線状に設ける。一方、外被部材１６には、その載置部１６２に、元竿管１１の後端部側から穂先方向に順に径大に形成した、略楕円形状の複数の窓２２２を、上記グリップ本体１０の複数の凸部２２１に対応して設けて、この複数の窓２２２にグリップ本体１０の凸部２２１を挿入するように構成したものである。
【００２６】
図９の肘部の滑り及びずれ防止構造は、上記図１に示す肘部の滑り及びずれ防止構造を二列配するように構成したものである。
【００２７】
図１０の肘部の滑り及びずれ防止構造は、グリップ本体１０の段部１５に、例えば元竿管１１の後端部側から穂先方向に順に径大に形成した、略矩形状の滑り止めとずれ防止機能を奏する複数の凸部２３１を所定の間隔を有して千鳥状に設ける。一方、外被部材１６には、その載置部１６２に略矩形状の複数の窓２３２を、上記グリップ本体１０の複数の凸部２３１に対応して千鳥状に設けて、この複数の窓２３２にグリップ本体１０の凸２３１部を挿入するように構成したものである。
【００２８】
図１１の肘部の滑り及びずれ防止構造は、グリップ本体１０の段部１５に、例えば元竿管１１の後端部側から穂先方向に順に径大に形成した、略円形状の滑り止めとずれ防止機能を奏する複数の凸部２４１を所定の間隔を有して千鳥状に設ける。一方、外被部材１６には、その載置部１６２に略円形状の複数の窓２４２を、上記グリップ本体１０の複数の凸部２４１に対応して千鳥状に設けて、この複数の窓２４２にグリップ本体１０の凸部２４１を挿入するように構成したものである。
【００２９】
図１２の肘部の滑り及びずれ防止構造は、グリップ本体１０の段部１５に、例えば元竿管１１の後端部側から穂先方向に順に径大に形成した、略円形状の滑り止めとずれ防止機能を奏する複数の凸部２５１を所定の間隔を有して複数列、例えば５列設ける。一方、外被部材１６には、その載置部１６２に略円形状の複数の窓２５２を、上記グリップ本体１０の複数の凸部２５１に対応して５列設けて、この複数の窓２５２にグリップ本体１０の凸部２５１を挿入するように構成したものである。
【００３０】
図１３の肘部の滑り及びずれ防止構造は、上記図１に示す肘部の滑り及びずれ防止構造を、その楕円形状の長辺を竿管軸に対して所定の傾斜角を有した状態で、二列配置するように構成したものである。
【００３１】
また、この発明は、上記実施の形態で説明したグリップ構造に限ることなく、その他、図１４及び図１５に示すようにグリップ本体を構成することも可能で、上記実施の形態と略同様の効果が期待される。但し、図１４及び図１５においては、上記図１乃至図５と同一部分について同一符号を付して、その詳細な説明を省略する。
【００３２】
先ず、図１４のグリップ構造は、上記実施の形態と略同様に滑り止め部３０１を有した把持部３０及び段部３１１及び凸部３１２の設けられる延出部３１を形成したグリップ本体３２を、元竿管１１の外壁面と略面一になるように該元竿管１１に一部を埋設し、このグリップ本体３０上に外被部材１６を被着して配するように構成したものである。このグリップ構造においては、グリップ本体３０が、例えば元竿管１１と一体成形することが可能となる。
【００３３】
そして、図１５のグリップ構造は、グリップ本体４０を、滑り止め部４１１を有した筒状の把持部４１に対して同様に段部４２１及び凸部４２２を有した筒状の延出部４２を延出させて形成して、このグリップ本体４０の段部４２１に上記外被部材１６を被着すると共に、上記元竿管１１の後端部に被着するように構成したものである。
【００３４】
また、この図１４及び図１５に示すグリップ本体３２，４０においても、上記図６乃至図１３で説明した肘部の滑り及びずれ防止構造を適用することも可能である。
【００３５】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３６】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３７】
【図１】この発明の一実施の形態に係る釣竿用グリップを外被部材上から見た状態を示した平面図である。
【図２】図１を側部側から見た状態を示した平面図である。
【図３】図１を下部側から見た状態を示した平面図である。
【図４】図１のグリップ本体を取り出して示した構成図である。
【図５】図１の外被部材を取り出して示した構成図である。
【図６】この発明の他の実施の形態に係る釣竿用グリップを外被部材上から見た状態を示した平面図である。
【図７】この発明の他の実施の形態に係る釣竿用グリップを外被部材上から見た状態を示した平面図である。
【図８】この発明の他の実施の形態に係る釣竿用グリップを外被部材上から見た状態を示した平面図である。
【図９】この発明の他の実施の形態に係る釣竿用グリップを外被部材上から見た状態を示した平面図である。
【図１０】この発明の他の実施の形態に係る釣竿用グリップを外被部材上から見た状態を示した平面図である。
【図１１】この発明の他の実施の形態に係る釣竿用グリップを外被部材上から見た状態を示した平面図である。
【図１２】この発明の他の実施の形態に係る釣竿用グリップを外被部材上から見た状態を示した平面図である。
【図１３】この発明の他の実施の形態に係る釣竿用グリップを外被部材上から見た状態を示した平面図である。
【図１４】この発明の他の実施の形態に係る釣竿用グリップを側部側から見た状態を示した平面図である。
【図１５】この発明の他の実施の形態に係る釣竿用グリップを側部側から見た状態を示した平面図である。
【符号の説明】
【００３８】
１０…グリップ本体、１１…元竿管、１２…尻栓本体、１２１…ローレット、１２２…尻栓、１３…把持部、１３１…滑り止め部、１４…延出部、１４１…指案内部、１５…段部、１５１…凸部、１６…外被部材、１６１…突出部、１６２…載置部、１６３…窓、１６４…位置決め部、２０１，２１１，２２１，２３１，２４１，２５１…凸部、２０２，２１２，２２２，２３２，２４２，２５２…窓、３０１…滑り止め部、３０…把持部、３１…延出部、３１１…段部、３１２…凸部、３２…グリップ本体、４０…グリップ本体、４１…把持部、４１１…滑り止め部、４２…延出部、４２１…段部、４２２…凸部。
【図１】
2005160319.tif 000003
【図２】
2005160319.tif 000004
【図３】
2005160319.tif 000005
【図４】
2005160319.tif 000006
【図５】
2005160319.tif 000007
【図６】
2005160319.tif 000008
【図７】
2005160319.tif 000009
【図８】
2005160319.tif 000010
【図９】
2005160319.tif 000011
【図１０】
2005160319.tif 000012
【図１１】
2005160319.tif 000013
【図１２】
2005160319.tif 000014
【図１３】
2005160319.tif 000015
【図１４】
2005160319.tif 000016
【図１５】
2005160319.tif 000017